(57)【要約】【課題】作業機の操作竿を容易に分離することができ、かつ操作竿の仕様変更を容易に行うことができる作業機操作竿の中間ジョイントを提供すること。【解決手段】一端に、原動機と前記原動機の動力伝達装置を配設するとともに、他端に、先端に作業装置を設けた作業機操作竿の基端を、着脱自在に接合した前記作業機操作竿の中間ジョイントであって、前記中間ジョイントは、前記原動機制御部材を一体的に形成してなる作業機操作竿の中間ジョイント構造。【選択図】　　　　図１
2004073031.tif 000002
【特許請求の範囲】
【請求項１】
一端に、動力伝導装置を備えた原動機を配設するとともに、他端に、先端に作業装置を設けた作業機操作竿の基端を着脱自在に接合した作業機操作竿の中間ジョイント構造であって、前記中間ジョイント構造は、原動機制御部材を一体的に形成してなることを特徴する作業機操作竿の中間ジョイント構造。
【請求項２】
前記原動機制御部材は、前記原動機のスロットルレバーであることを特徴とする、請求項１記載の作業機操作竿の中間ジョイント構造。
【請求項３】
前記原動機制御部材は、前記原動機のストップスイッチであることを特徴とする、請求項１記載の作業機操作竿の中間ジョイント構造。
【請求項４】
請求項１記載の作業機操作竿の中間ジョイント構造を備えたことを特徴とする背負い式作業機。
【発明の詳細な説明】
【０００１】
【発明の属する技術分野】
本発明は、草刈機やヘッジトリマなどの作業機の作業機操作竿の中間ジョイント構造及び背負い式作業機に関する。
【０００２】
【従来の技術】
作業機操作竿の中間ジョイントを備えた背負い式作業機の一例として、図５に示す実開昭６０−１８２７３３号公報に記載のものが知られている。図５において、作業者はエンジン２０が取付けられた背負いフレーム２１を、背負いバンド２２によって背負い、中間ジョイント３０を備えた作業機操作竿２４に設けられたグリップ２５、２６を把持し、刈刃２７を移動させながら草刈作業を行う。
【０００３】
図６は、中間ジョイント３０の横断面図である。図６に示すように、中間ジョイント３０のジョイント本体３１は、内部に連結軸３２と、これを軸支するベアリング３３を備えている。原動機２０からの動力を伝導する伝導軸３４は、連結軸３２の一端３２ａに着脱自在に連結されている。また、伝導軸３４を覆う可撓伝導部２３は、ねじ３６と溝３８によってジョイント本体３１に回動自在に、かつ着脱自在に支持されている。一方、刈刃（図５の２７）へ動力を伝導する伝導軸３５は、連結軸３２の他端３２ｂに螺合している。そして、伝導軸３５を覆う作業機操作竿２４は、ボルト３７によってジョイント本体３１に結合している。
【０００４】
前記の構成において、作業機の収納や運搬や分解整備を行う際には、ジョイント本体３１のねじ３６を緩めて可撓伝導部２３と伝導軸３４を中間ジョイント３０から取外すことによって、可撓伝導部２３から作業機操作竿２４を分離する必要がある。
【０００５】
【発明が解決しようとする課題】
ところが、作業者は、作業中に原動機２０の回転数などの制御を行う必要があるので、図５に示すようにスロットルレバー２８Ａとストップスイッチ２８Ｂを、作業者の手に近い位置、即ちグリップ２５の近くに配設している。しかしながら、スロットルレバー２８Ａとストップスイッチ２８Ｂは、作業機操作竿２４に取着されているため、前述のように、可撓伝導部２３から作業機操作竿２４を分離するときに、図６に示すスロットルレバー２８Ａとストップスイッチ２８Ｂ、およびこれらに接続しているケーブルリード線２９を作業機操作竿２４から取り外さなければならない。このように、従来は、可撓伝導部２３から作業機操作竿２４を分離する作業が困難であったため、作業機の収納や運搬や分解整備に苦慮していた。
【０００６】
また、スロットルレバー２８Ａとストップスイッチ２８Ｂが作業機操作竿２４に取着されているために、作業機操作竿２４のパイプの肉厚や長さなどのパイプの仕様を変更する場合、その都度、スロットルレバー２８Ａとストップスイッチ２８Ｂの取付け仕様に合わせて、専用の作業機操作竿を作る必要があったので、コストが増大するという問題もあった。
【０００７】
本発明は、上記の従来構造の問題点に着目してなされたものであり、作業機操作竿を容易に分離することができ、かつ操作竿の仕様変更を容易に行うことができる作業機操作竿の中間ジョイント構造及び背負い式作業機を提供することを目的としている。
【０００８】
【課題を解決するための手段、作用及び効果】
上記の目的を達成するために、本発明に係わる作業機操作竿の中間ジョイント構造の第１の発明は、一端に、動力伝導装置を備えた原動機を配設するとともに、他端に、先端に作業装置を設けた作業機操作竿の基端を着脱自在に接合した作業機操作竿の中間ジョイント構造であって、前記中間ジョイント構造は原動機制御部材を一体的に形成してなることを特徴する。
【０００９】
第１の発明によると、作業機操作竿の中間ジョイント構造は、原動機の制御部材を一体的に形成しているので、作業機の収納や運搬や分解整備のために中間ジョイントから作業機操作竿を分離するときに、原動機の制御部材を分解する必要がない。従って、作業機の操作竿の分離が容易となり、作業機の収納や運搬や分解整備が楽になる。
【００１０】
第２の発明は、第１の発明に基づき、前記原動機制御部材は、前記原動機のスロットルレバーであることを特徴とする。
【００１１】
第２の発明によると、前記作業機操作竿の中間ジョイントは、前記原動機のスロットルレバーを一体的に形成しているので、作業機の収納や運搬や分解整備のために中間ジョイントから作業機操作竿を分離するときに、スロットルレバー、およびそのケーブルリード線を分解する必要がない。従って、作業機操作竿の分離が容易となり、作業機の収納や運搬や分解整備が楽になる。
【００１２】
第３の発明は、第１の発明に基づき、前記原動制御部材は、前記原動機のストップスイッチであることを特徴とする。
【００１３】
第３の発明によると、前記作業機操作竿の中間ジョイントは、前記原動機のストップスイッチを一体的に形成しているので、作業機の収納や運搬や分解整備のために中間ジョイントから操作竿を分離するときに、ストップスイッチ、およびそのケーブルリード線を分解する必要がない。従って、作業機の操作竿の分離が容易となり、作業機の収納や運搬や分解整備が楽になる。
【００１４】
第４の発明は、背負い式作業機であって、第１の発明による中間ジョイントを備えた背負い式作業機であることを特徴とする。
【００１５】
第４の発明によると、前記背負い式作業機は、第１の発明による中間ジョイントを備えているので、前記背負い式作業機の収納や運搬や分解整備のために中間ジョイントから作業機操作竿を分離するときに、前記原動機の制御部材を分解する必要がない。従って、作業機操作竿の分離が容易となり、作業機の収納や運搬や分解整備が楽になる。
【００１６】
【発明の実施の形態】
以下に、本発明に係わる作業機操作竿の中間ジョイント構造及び背負い式作業機の実施形態について、図１〜図４を参照して詳述する。
【００１７】
図１は、本発明に係わる第１実施例を示す中間ジョイント１の断面図であり、図２は、その正面図である。図２において、中間ジョイント１は、表面にグリップ１０を備えるとともに、スロットルレバー３およびストップスイッチ４を含む制御装置２を備えている。
【００１８】
図１において、原動機（図示せず）の動力を伝達する原動機側の伝導軸１５は、案内管１３の内部に配設され、伝導軸１５の先端は、中間ジョイント１のジョイントパイプ９の内部に、ベアリング１１によって軸支された連結軸１２の一端１２ａに着脱自在に連結されており、一方、作業装置（図示せず）側の伝導軸１４は、作業機操作竿１９の内部に配設され、連結軸１２の他端１２ｂに着脱自在に連結されている。
【００１９】
図１において、中間ジョイント１のジョイントパイプ９の一端部１７には原動機側の案内管１３が、他端部１６には作業機操作竿１９が、それぞれ嵌合し、更に作業機操作竿１９はボルト７によってジョイントパイプ９に係止されている。ジョイントパイプ９の作業装置側の先端部１８には、円筒状のスペーサ８が嵌合し、かつ該先端部１８には半径方向にスリット（図示せず）が設けられているので、該スペーサ８は、スリットの幅を縮小するように締付けボルト６を締付けることにより、ジョイントパイプ９に一体的に固着される。そして、スロットルレバー３およびストップスイッチ４を含む制御装置２を、制御装置２のヒンジ５を開いてスペーサ８に取付け、ボルト５ａによって固定する。
【００２０】
上記構成によれば、作業機操作竿１９の中間ジョイント１は、原動機を制御するスロットルレバー３およびストップスイッチ４を含む制御装置２を、スペーサ８を介して一体的に形成しているので、中間ジョイント１から作業機操作竿１９を分離する際には、スロットルレバー３とストップスイッチ４を含む制御装置２、およびこれらの制御装置２に接続しているケーブルリード線（図示せず）を分解することなく、作業機操作竿１９をジョイントパイプ９に係止しているボルト７を緩めることによって、図３に示すような形で作業機操作竿１９を伝導軸１４とともに中間ジョイント１から容易に外すことが可能である。従って、作業機操作竿１９の分離が容易であるので、作業機の収納や運搬や分解整備が楽になる。
【００２１】
また、スロットルレバー３やストップスイッチ４が作業機操作竿１９に取付けられていないので、作業機操作竿１９の仕様変更、例えばパイプの肉厚や長さの変更を簡単に行うことができ、コストの削減にも効果がある。
【００２２】
図４に、本発明に係わる第２実施例の中間ジョイント１ａを示す。該中間ジョイント１ａは、ジョイントパイプ９ａに直接、制御装置２を固着する構造としたので、実施例１のスペーサ８が不要となって、更にコスト低減が可能となる。
【００２３】
本発明に係わる作業機操作竿の中間ジョイント構造及び背負い式作業機は、草刈り機、ヘッジトリマ、枝打機、ブロア、根切機、吸水ポンプなどの背負い式作業機に適用可能である。
【図面の簡単な説明】
【図１】第１実施例の中間ジョイントの横断面図である。
【図２】第１実施例の中間ジョイントの正面図である。
【図３】作業機操作竿を中間ジョイントから外した状態を示す中間ジョイントの横断面図である。
【図４】第２実施例の中間ジョイントの横断面図である。
【図５】従来の作業機操作竿の中間ジョイントを備えた背負い式作業機の一例を示す斜視図である。
【図６】従来の中間ジョイントの一例を示す断面図である。
【符号の説明】
１，１ａ…中間ジョイント、２…制御装置、３…スロットルレバー、４…ストップスイッチ、８…スペーサ、９…ジョイントパイプ、１９…作業機操作竿。
【図１】
2004073031.tif 000003
【図２】
2004073031.tif 000004
【図３】
2004073031.tif 000005
【図４】
2004073031.tif 000006
【図５】
2004073031.tif 000007
【図６】
2004073031.tif 000008